(57)【要約】【課題】処理檻に入った害獣を素早く身動きできなくなるようにするため、檻を構成する何れかの金属ネットからなる壁を内方に移動できるようにし、檻内に進入した害獣を壁際に圧迫して身動きできなくなるようにした捕獲した害獣を処分する。【解決手段】上方の一側にロープ７１を巻きつけた回転ロッド７２を設け、これに取り付けたギア付きハンドル７３を回動自在としたギア手段７を用いる。金網面を有する床面４は、回転ロッド７２を回すことによって、ロープ７１を巻き上げるギア付きハンドル７３によって上方に移動する。捕獲された害獣（猪）Ｗ  が底面５の網目の間に脚部を突込んで、動けなくなり、檻の天井面４に押し付けられる。【選択図】図４
0003165054.tif 000002
【実用新案登録請求の範囲】
【請求項１】
フレームワークによって形成される各面が金属ワイヤネット面からなり、これらの金属ワイヤネット面の中の何れかの面が、檻の内方向に強制移動し、捕獲された害獣を押し付けるようにした捕獲害獣の処理用檻。
【請求項２】
捕獲された害獣の脚部が、底面の金属ワイヤネットの間隔内に落とし込まれ、動けなくなるようにした請求項１に記載の捕獲害獣の処理用檻。
【考案の詳細な説明】
【技術分野】
【０００１】
本考案は捕獲された猪、鹿等の害獣類を短時間で処理できる処理用檻に関する。
【背景技術】
【０００２】
従来から、各種の害獣を捕獲するためには、下記特許文献に示されているように、一方に開閉扉を設けた罠仕掛けの金網檻が使用されてきた。
【０００３】
ところが、このような檻を使用して害獣を捕獲しても、捕獲された害獣が檻のなかを走り回り、檻に入った害獣は、外に出ようとして必死で暴れ、処分するのに手間と時間を要するばかりではなく、それは逃げるために興奮し、アドレナリンが出て全身を廻り、解体処理をしたとき肉に臭みが残るという問題がある。
【０００４】
そのため、捕獲した害獣を短時間のうちに処理するために、下記特許文献に記載されているように、捕獲檻に抑え棒を設け、この棒によって檻内の害獣を抑えつけたり、捕獲した害獣がはまり込む小部屋を捕獲檻に設けて、そこに捕獲した害獣を誘導して害獣が動き回ることできないようにした処理用の檻も考案されている。
【０００５】
しかしながら、何れの処理用檻も捕獲された害獣を、簡単には、短時間で処理できるようにはなってはいない。
【先行技術文献】
【特許文献】
【０００６】
【特許文献１】実用新案登録第３０８９１３３号
【特許文献２】特開２０００−３１６４５６
【特許文献３】特開２００７−１６７０２４３１６４５６
【考案の概要】
【考案が解決しようとする課題】
【０００７】
本考案は、捕獲された猪を短時間に確実に押さえつけて処理するのに便利で、比較的簡単な構造を有する檻を提供する。
【課題を解決するための手段】
【０００８】
この考案は、檻に入った害獣を素早く身動きできなくなるようにするため、檻を構成する何れかの金属ネットからなる壁を内方に移動できるようにし、檻内に進入した害獣を壁際に圧迫して身動きできなくなるようにした捕獲した害獣を処分するための檻である。
【０００９】
この考案に係る捕獲害獣の処理檻は、断面がほぼ正方形の立方体状の金属製のフレーム材によって形成された檻枠によって形成されたそれぞれの外面を、５〜１６ｍｍ径の金属ワイヤからなる５ｃｍから１５ｃｍ間隔のネットによって形成している。
【００１０】
そして、その檻の前方あるいは後方には、害獣を導入するための出口と内部にいる害獣を取り出すため出口が、そこに位置するネット枠をフレームに沿って上下動する扉として形成されている。
【００１１】
檻の底面を形成するネットを底面に平行に持ち上げられるようにすることによって、捕獲された害獣の脚部をネット枠を構成する金属線または棒網の網目の間に拘束し、これによっても害獣の暴れを止めることができる。
【００１２】
また、これらの害獣の出口あるいは出口の扉として機能するネット枠以外の、壁面を構成するネット枠をそれぞれの壁面に平行に移動させて、これによって、檻の内部にいる害獣を抑えつけるようにすることも可能である。
【００１３】
さらには、これらの移動ネット枠は、必ずしも底面、上面、両側面の何れもが稼働できるようにする必要はなく、その檻の大きさ、害獣の大きさ、凶暴さによって、特定の壁面のみを移動できるようにすることができる。
【００１４】
また、そのネット枠の移動手段としては、人力、ジャッキ、歯車などの機械的メカニズム、油圧などの流体機構、さらには、電気機構を用いることができる。
【考案の効果】
【００１５】
本考案によれば、捕獲された害獣は、檻の壁面を構成する何れかの金属線ネットを移動させて捕獲された害獣を押し付け、または、脚の動きを拘束して暴れ回ることがないので短時間で処分することができる。
【図面の簡単な説明】
【００１６】
【図１】本考案の害獣の処理用檻を通常の捕獲檻に連結した状態を示す。
【図２】本考案の害獣の処理用檻を示す。
【図３】捕獲された害獣に対して底部の網枠が上昇した状態を示す。
【図４】図３における害獣の状態を模図的に示す。
【考案を実施するための形態】
【００１７】
本考案の処理用檻は、通常の場合は、捕獲檻と連結して使用し、一旦、この捕獲檻に捕獲された害獣を処理用檻に導入して処理するが、場合によっては、捕獲檻も兼ねた処理檻として使用することもできる。
【実施例】
【００１８】
本考案の害獣の処理用檻１０は、図１に示すように、通常の場合、捕獲檻Ａに連結して使用する。
【００１９】
本考案の害獣の処理用檻１０が連結する捕獲檻Ａとしては、如何なる形態のものであっても良いが、図示するように、全体を比較的強度の強い金網によって作成され、本考案の処理用檻１０と同じ大きさの出入り口ａとｂを形成し、任意に、上下動によって開閉できる開閉扉を有するものが処理用檻１０との連結上都合がよい。
【００２０】
本考案に係る処理用檻１０は、図示するように、その進入側入り口の扉を持ち上げて開口し、その開口を通常の猪の捕獲檻Ａの開放出口とを、連結器具によって強く連結する。そして、捕獲檻Ａの進入扉を上方に持ち上げて猪の進入路を形成する。
【００２１】
この処理用檻１０は、捕獲檻Ａと連結して図１の状態で、猪の進入を待ち受ける。
【００２２】
この捕獲檻Ａの猪の進入路から進入した猪は、捕獲檻Ａ内から、それに連結した処理檻１０に内に一気に進入する。そこで、処理檻１０の進入扉を閉じるとともに、電動あるいは手動によって移動して、壁面の間に害獣を内壁の移動によって抑え込み、害獣の動きが止まったところで処分する。
【００２３】
本考案の害獣の処理用檻１０の構造を示す図２において、同処理用檻１０は、縦断面がほぼ１ｍの正方形をなし、長さがほぼ１〜２ｍ程度に、比較的高強度のフレーム材１によって形成されている。
【００２４】
そのフレーム材１の外面は、進入した猪が暴れても壊れない程度の５〜１６ｍｍのワイヤネットまたは棒鋼の壁面から形成されている。
【００２５】
側面２と前後の扉３は網目を有する金網から形成され、天井面４と底面５は網目を有する金網または棒鋼材から形成されている。
【００２６】
ネット目を比較的大きく採るのは、天井面を猪の上面から押し付ける場合、その金網が押し付ける猪の表面の背中などの表面形状に影響されないようにするためであり、また、底面の金網の場合は、進入した猪の脚部が網目に入り易くするためである。
【００２７】
この処理用檻１０の前後に設けられた扉３は前後面のフレーム材１に取り付けられた扉ガイド６に沿って上下動できるようになっており、形成された開口を利用して捕獲檻Ａで捕獲された害獣の処理用檻１０への導入することと、処分された害獣の取り出しために使用する。
【００２８】
この処理用檻１０の最大の特徴は、捕獲された害獣を、扉を含む天井面と底面さらには側面の何れかの金網面を平行に強く移動可能にした点である。
【００２９】
また、天井面の金網と、底面を形成する金網は、ギアまたはジャッキのような適宜な手段で高強度の枠材に沿って、天井面の金網は下方に押し下げられ、また、底面を形成する金網は上方に持ち上げられる。
【００３０】
図示の場合には、底面の金網５が任意の移動機構上方に強く押し上げられ、上面の金網４に強く押し付けられる付けられる例を示している。
【００３１】
添付図の場合、床面５のみの金網面のみを上方に移動させる例を示す。この移動機構として、上方の一側にロープ７１を巻きつけた回転ロッド７２を設け、これに取り付けたギア付きハンドル７３を回動自在としたギア手段７を採用した例を示す。
【００３２】
この場合、金網面を有する床面４は、回転ロッド７２を回すことによって、ロープ７１を巻き上げるギア付きハンドル７３によって上方に移動する。
【００３３】
図３は、捕獲された害獣（猪）Ｗ  が底面５の網目の間に脚部を突込んで、動けなくなり、檻の天井面４に押し付けられる状態を示す。
【００３４】
図４は、図３に示す害獣の状態を模図的に示すもので、害獣は、天井面４の下面と競り上がった床面５との間に押し付けられて動けない状態になるので、簡単に処分が行うことができる。
【符号の説明】
【００３５】
１  フレーム材
２  側面  
３  扉  
４  天井面  
５  底面  
６  扉ガイド
７  ギア手段    ７１  ロープ    ７２  回転ロッド    ７３  ギア付きハンドル
１０  処理用檻  
Ａ  捕獲檻    ａ、ｂ  出入り口
【図１】
0003165054.tif 000003
【図２】
0003165054.tif 000004
【図３】
0003165054.tif 000005
【図４】
0003165054.tif 000006
【手続補正書】
【提出日】平成22年10月21日(2010.10.21)
【手続補正１】
【補正対象書類名】実用新案登録請求の範囲
【補正対象項目名】全文
【補正方法】変更
【補正の内容】
【実用新案登録請求の範囲】
【請求項１】
フレームワークによって形成される各面が金属ワイヤネット面からなり、これらの金属ワイヤネット面の中の何れかの面を檻の内部方向に移動させる人力、ジャッキ、歯車などの機械的メカニズム、油圧などの流体機構、さらには、電気機構の中の何れかの移動機構を有する捕獲害獣の処理用檻。
【請求項２】
底面を形成する金属ワイヤネット面の金属ワイヤネットが、捕獲された害獣の脚部が落とし込まれる間隔を有する請求項１に記載の捕獲害獣の処理用檻。
【手続補正２】
【補正対象書類名】明細書
【補正対象項目名】００３０
【補正方法】変更
【補正の内容】
【００３０】
図示の場合には、底面の金網５が任意の移動機構によって上方に強く押し上げられ、上面の金網４に強く押し付けられる付けられる例を示している。